(57)【要約】【課題】沸き上げ運転を備えた給湯装置において、使用性の高いリモコンを備えた給湯装置を提供すること。【解決手段】貯湯槽１と、前記貯湯槽の湯水を沸き上げる加熱手段２と、前記加熱手段２の沸き上げ動作を制御する制御装置１３と、前記制御装置１３に前記加熱手段２の動作の設定を行うとともに、前記設定された内容を表示する表示部１０２を有するリモコン１５を備え、前記沸き上げ動作を禁止する運転休止モードを有し、複数の異なる時間帯にて、前記リモコン１５から設定するとともに、前記設定した複数の異なる時間帯を、前記リモコン１５の表示部１０２の同一画面に表示できる。【選択図】図４
2019045107.tif 000002
【特許請求の範囲】
【請求項１】
貯湯槽と、
前記貯湯槽の湯水を沸き上げる加熱手段と、
前記加熱手段により沸き上げた湯を貯湯する貯湯タンクと、
前記加熱手段の沸き上げ動作を制御する制御装置と、
前記制御装置に前記加熱手段の動作の設定を行うとともに、前記設定された内容を表示する表示部を有するリモコンと、を備え、
前記沸き上げ動作を禁止する運転休止モードを有し、
前記運転休止モードは、複数の異なる時間帯にて、前記リモコンから設定できるとともに、
前記設定した複数の異なる時間帯を、前記リモコンの表示部の同一画面に表示する構成としたことを特徴とする給湯装置。
【請求項２】
前記時間帯は、直接、時刻にて設定できることを特徴とする請求項１に記載の給湯装置。
【請求項３】
前記運転休止モードの時間帯を設定したときには、使用者に前記設定が完了したことを、前記リモコンにて報知する構成としたことを特徴とした請求項１または２に記載の給湯装置。
【発明の詳細な説明】
【技術分野】
【０００１】
本発明は、沸き上げ運転を備えた給湯装置に関するものである。
【背景技術】
【０００２】
従来、この種の貯湯式給湯装置の沸上げ運転の制御は、早朝、昼間、夕方、夜間、深夜等の時間帯において、定められた貯湯槽温度検出手段の温度が、一定以下となった時に、沸上げを開始し、一定温度以上になると沸上げを完了するように制御されていて、リモコンにより、沸き上げ運転を禁止する時間帯を設定できる手段を有している（例えば、特許文献１参照）給湯装置。
【先行技術文献】
【特許文献】
【０００３】
【特許文献１】特開２００８−３１５７５０９号公報
【発明の概要】
【発明が解決しようとする課題】
【０００４】
しかしながら、前記従来の構成においては、沸き上げ運転を禁止する時間帯を複数個設定できたり、その設定内容を確認できる構成については開示されていない。
【０００５】
本発明は、前記従来の課題を解決するもので、沸き上げ運転を備えた給湯装置において、使用性の高いリモコンを備えた給湯装置を提供することを目的とする。
【課題を解決するための手段】
【０００６】
前記従来の課題を解決するために、本発明の給湯機は、貯湯槽と、前記貯湯槽の湯水を沸き上げる加熱手段と、前記加熱手段により沸き上げた湯を貯湯する貯湯タンクと、
前記加熱手段の沸き上げ動作を制御する制御装置と、前記制御装置に前記加熱手段の動作の設定を行うとともに、前記設定された内容を表示する表示部を有するリモコンと、を備え、前記沸き上げ動作を禁止する運転休止モードを有し、前記運転休止モードは、複数の異なる時間帯にて、前記リモコンから設定できるとともに、前記設定した複数の異なる時間帯を、前記リモコンの表示部の同一画面に表示する構成としたことを特徴とするものである。
【０００７】
これにより、給湯装置において、運転休止モードを設定された場合、表示手段に複数個の運転休止モード時間帯を同一画面に表示することで、使用者の使い勝手の向上を図ることができる。
【発明の効果】
【０００８】
本発明によれば、沸き上げ運転を備えた給湯装置において、使用性の高いリモコンを備えた給湯装置を提供できる。
【図面の簡単な説明】
【０００９】
【図１】本発明の実施の形態１の給湯装置の構成図
【図２】同給湯装置のリモコンの外観図
【図３】（ａ）同給湯装置のリモコンのトップ画面図（ｂ）同給湯装置のリモコンのメニュー項目図（ｃ）同給湯装置のリモコンの沸き上げ設定項目図
【図４】同給湯装置のダブルピークカット設定画面のフローを示す図
【図５】同給湯装置のダブルピークカット設定変更画面のフローを示す図
【図６】同給湯装置の他のダブルピークカット設定画面のフローを示す図
【発明を実施するための形態】
【００１０】
第１の発明は、貯湯槽と、前記貯湯槽の湯水を沸き上げる加熱手段と、前記加熱手段により沸き上げた湯を貯湯する貯湯タンクと、前記加熱手段の沸き上げ動作を制御する制御装置と、前記制御装置に前記加熱手段の動作の設定を行うとともに、前記設定された内容を表示する表示部を有するリモコンと、を備え、前記沸き上げ動作を禁止する運転休止モードを有し、前記運転休止モードは、複数の異なる時間帯にて、前記リモコンから設定できるとともに、前記設定した複数の異なる時間帯を、前記リモコンの表示部の同一画面に表示する構成としたことを特徴とする給湯装置である。
【００１１】
これにより、給湯装置において、運転休止モードを設定された場合、表示手段に複数個の運転休止モード時間帯を同一画面に表示することで、設定された内容を簡単に確認でき、使用者の使い勝手向上と操作時間の短縮を図ることができる。
【００１２】
第２の発明は、特に、第１の発明において、直接、時刻にて設定できることを特徴とすることにより、使用者が設定された内容を時刻から容易に把握することができる。
【００１３】
第３の発明は、特に、第１または第２の発明において、前記運転休止モードの時間帯を設定したときには、使用者に前記設定が完了したことを、前記リモコンにて報知する構成としたことを特徴とする給湯装置である。
【００１４】
これにより、設定完了マークを表示することで、使用者が設定した内容を容易に目視で把握することができる。
【００１５】
以下、本発明の実施の形態について、図面を参照しながら説明する。なお、この実施の形態によって本発明が限定されるものではない。
【００１６】
（実施の形態１）
図１に示すように、給湯装置は、貯湯槽１と、前記貯湯槽１の低温水を加熱する加熱手段２と、前記貯湯槽１下部と前記加熱手段２とを接続する入水配管３と、前記貯湯槽１上部と前記加熱手段２とを接続する出湯配管４と、前記入水配管３中に設置された循環ポンプと５、前記貯湯槽１に低温水を供給する給水配管６と、前記給水配管６に設置された給水温度検出手段７とを備えている。
【００１７】
また、前記貯湯槽１上部に設置され、前記貯湯槽１内の高温の湯を給湯する給湯配管８と、前記給水配管６の低温水と前記給湯配管８の高温の湯を混合する給湯混合弁９と、前記給湯配管８に設置された給湯温度検出手段１０と、前記給湯配管８に設置された給湯流量検出手段１１と、前記貯湯槽１に設置され、制御装置１３とを備えている。
【００１８】
そして、前記制御装置１３は残湯の温度等の情報を基づいて、沸上げを開始させる。また、リモコン１５より設定された情報により、前記制御装置１３を通じて前記給湯装置の運転モードを変更する。
【００１９】
さらに、電力会社が設定した深夜時間帯の安い料金を利用するや連日留守等の場合、任意の特定時間帯を指定して沸き上げを行わない運転休止モードを有し、前記リモコン１５から時間帯を設定し、追加沸き上げを禁止する信号を前記制御装置１３に送信し、前記加熱手段２等を制御する。
【００２０】
図２は、本実施の形態における給湯リモコン装置の外観図である。
【００２１】
図２において、給湯装置のリモコン１５は、給湯温度、ふろ温度、時刻、タンクの残湯湯量、沸き上げ状態等を表示する表示部１０２と、時刻設定、リモコン自体の設定を行う時に設定画面を呼び出すメニュースイッチ１０５、表示部１０２に表示される選択肢の中から特定の設定項目を選択する選択スイッチ１０４と、選択スイッチ１０４により選択された設定項目を確認する決定スイッチ１０３から構成されている。
【００２２】
リモコン１５には、表示部１０２の表示内容を制御する制御部２０１と、表示部１０２に表示を行うための情報や給湯装置の設定値や時刻等を記憶する記憶部２０２と、給湯装置の設定値を入力する入力部２０３を備えている。
【００２３】
なお、入力部は選択スイッチ１０４と決定スイッチ１０３を含むものとする。記憶部２０２に記憶されている給湯装置の設定値とは、沸き上げ設定、ふろ予約、音声案内、音量、日時設定などの設定内容になる。また、沸き上げ設定の中には沸き上げモード設定、休止設定、ダブルピークカット設定などがあり、さらに各設定項目の中には設定内容が表示される。
【００２４】
なお、ダブルピークカット設定とは、沸き上げ動作を禁止する運転休止モードを２つの異なる時間帯にて設定するものであるが、２つ以上の複数の異なる時間帯にて設定できるようにしても良い。
【００２５】
以上のように構成されたリモコン１５について、以下の動作、作用について説明する。
【００２６】
図３を用いて、運転休止モードの稼動時間帯を複数個設定するダブルピークカット設定の操作方法を説明する。
【００２７】
使用者はリモコン１５にあるメニュースイッチ１０５を操作して表示部１０２にトップ画面３０３からメニュー項目３０１を表示させる。次に使用者はメニュー項目３０１内で選択スイッチ１０４を操作してカーソルを沸き上げ設定に動かし、沸き上げ設定で決定スイッチ１０３を操作すると沸き上げ設定の中の沸き上げ設定項目３０２を表示させる。
【００２８】
次に、使用者は沸き上げ設定項目３０２でダブルピークカット設定に選択スイッチ１０４を操作してカーソルを動かし、決定スイッチ１０３を操作するとダブルピークカット設定の詳細な設定ができる。
【００２９】
図４を用いてダブルピークカット設定の詳細な設定方法を説明する。
【００３０】
Ｓ４０１では、沸き上げ設定項目内にあるダブルピークカット設定を選択スイッチ１０４、決定スイッチ１０３を操作して選択する。次にＳ４０２に進むと、ダブルピークカット設定の設定１および設定２の設定状態を表示部１０２で同一画面上に示す。
【００３１】
各設定で設定をしていない場合は各設定項目に「なし」と表示し、設定されている場合はピークカット開始時刻と終了時刻を表示する。例えば、設定１を設定する場合は、カーソルを選択スイッチ１０４で設定１に設定し、決定スイッチ１０３で設定１を決定する。
【００３２】
次にＳ４０３に進むと、「ピークカット機能を設定します。」を表示部１０２に表示することで、使用者にこれからピークカット機能の設定を行うことの情報を使用者に伝えることでリモコン操作を容易に理解させる。
【００３３】
次にＳ４０４に進むと、予め記憶部２０２に記憶されている設定１のピークカット時間帯の開始時刻と終了時刻の初期値を表示部１０２に表示させる。ピークカット時間帯の開始時刻を選択スイッチ１０４で開始時刻を変更し、時刻の変更が完了した場合は決定スイッチ１０３を操作し記憶部２０２に変更した開始時刻を記憶させる。
【００３４】
次にＳ４０５に進むと、予め記憶部２０２に記憶されている設定１のピークカット時間帯の終了時刻を選択スイッチ１０４で終了時刻を変更し、時刻の変更が完了した場合は決定スイッチ１０３を操作し記憶部２０２に変更した終了時刻を記憶させる。
【００３５】
次にＳ４０６に進むと、設定１のピークカット時間帯の開始時刻と終了時刻を表示部１０２に表示させる。ピークカット時間帯の範囲は４時から深夜開始時刻までとした。例えば、ピークカット時間帯を６時から８時と設定した場合は、「６時〜８時」と表示部１０２に表示させ、制御部２０１に設定した内容を更新する。
【００３６】
また、使用者にピークカット時間帯の設定内容を表示部１０２に表示させることで設定内容が簡単に確認することができ、リモコン操作の使い勝手向上と操作時間の短縮を図ることができる。
【００３７】
次にＳ４０７に進むと、予め記憶部２０２に記憶されている設定２のピークカット時間帯の開始時刻と終了時刻の初期値を表示部１０２に表示させる。ピークカット時間帯の開始時刻を選択スイッチ１０４で開始時刻を変更し、時刻の変更が完了した場合は決定スイッチ１０３を操作し記憶部２０２に変更した開始時刻を記憶させる。
【００３８】
次にＳ４０８に進むと、予め記憶部２０２に記憶されている設定２のピークカット時間帯の終了時刻を選択スイッチ１０４で終了時刻を変更し、時刻の変更が完了した場合は決定スイッチ１０３を操作し記憶部２０２に変更した終了時刻を記憶させる。
【００３９】
次にＳ４０９に進むと、設定２のピークカット時間帯の開始時刻と終了時刻を表示部１０２に表示させる。ピークカット時間帯の範囲は設定１の時間範囲と同じで４時から深夜開始時刻までとした。例えば、ピークカット時間帯を１３時から１７時と設定した場合は、「１３時〜１７時」と表示部１０２に表示させ、使用者にピークカット時間帯を設定した内容を表示部１０２の同一画面に表示させることで、設定内容が簡単に確認することができ、リモコン操作の使い勝手向上と操作時間の短縮を図ることができる。
【００４０】
次にＳ４１０に進むと、リモコンのトップ画面に戻りピークカット表示を行い、使用者に現状設定を知らせることで確認時間の短縮を図ることができる。
【００４１】
図５を用いてダブルピークカット設定内容を変更する場合の設定方法を説明する。Ｓ５０１では、沸き上げ設定項目内にあるダブルピークカット設定を選択スイッチ１０４、決定スイッチ１０３を操作して選択する。次にＳ５０２に進むと、ダブルピークカット設定の設定１および設定２の設定状態を表示部１０２で同一画面上に示す。
【００４２】
各設定は前回設定した内容を記憶部２０２に記憶させており、前回設定したピークカット時間帯の開始時刻と終了時刻を表示部１０２に表示させる。表示部１０２で同一画面上にピークカット設定内容を表示させることで、使用者が人目で現状の設定内容を把握することで確認時間の短縮を図ることができる。
【００４３】
次にＳ５０３に進むと、ダブルピークカット設定の変更および取消を表示部１０２で同一画面上に示し、使用者に変更または取消のいずれかの選択を選択スイッチ１０４でカーソルを動かし決定スイッチ１０３で設定する。
【００４４】
次にＳ５０４に進むと、前回の設定内容を記憶部２０２に記憶されている設定２のピークカット時間帯の開始時刻と終了時刻の設定値を表示部１０２に表示させる。ピークカット時間帯の開始時刻を選択スイッチ１０４で開始時刻を変更し、時刻の変更が完了した場合は決定スイッチ１０３を操作し記憶部２０２に変更した開始時刻を記憶させる。
【００４５】
次にＳ５０５に進むと、前回設定した値を記憶部２０２にて記憶されており表示部１０２でピークカット時間帯の開始時刻と終了時刻を表示させ、終了時刻を選択スイッチ１０４で終了時刻を変更し、時刻の変更が完了した場合は決定スイッチ１０３を操作し記憶部２０２に変更した終了時刻を記憶させる。
【００４６】
次にＳ５０６に進むと、設定変更した設定２のピークカット時間帯の開始時刻と終了時刻を表示部１０２に表示させる。例えば、ピークカット時間帯を１３時から１７時と設定した内容を１４時から１７時に変更した場合は、「１４時〜１７時」と表示部１０２に表示させ、制御部２０１に設定した内容を更新する。
【００４７】
ピークカット時間帯を設定変更した内容を、表示部１０２の同一画面に表示させることで、使用者が設定内容が簡単に確認することができる。
【００４８】
次にＳ５０７に進むと、リモコンのトップ画面に戻りピークカット表示を行い、使用者に現状の設定を知らせ人目で分かりやすくしている。
【００４９】
ダブルピークカットの設定が完了すると、リモコン１５は表示部１０２におけるマークや色による表示や、表示部１０２の近傍に設けた表示ランプ、あるいは、音声等の手段を用いて、設定が完了した旨を使用者に報知するようにするとよい。
【００５０】
図６を用いて、ダブルピークカット設定の詳細な設定方法及び設定完了通知の例について説明する。図６において、本実施の形態の給湯リモコン装置の構成図およびダブルピークカット設定への遷移については実施形態１と同様であるので、その説明は省略する。
【００５１】
図６を用いてダブルピークカットの設定方法を説明する。Ｓ６０１では、沸き上げ設定項目内にあるダブルピークカット設定を選択スイッチ１０４、決定スイッチ１０３を操作して選択する。
【００５２】
次にＳ６０２に進むと、ダブルピークカット設定の設定１および設定２の設定状態を表示部１０２で同一画面上に示す。
【００５３】
各設定は予め記憶部２０２に記憶されているピークカット時間帯の開始時刻と終了時刻の初期値を表示部１０２に表示させ、各設定の有無がわかるようにピークカット時間帯の横に時計マークを表示させる。
【００５４】
設定がなされていない場合は時計マークの表示なしで、設定されている場合は時計マークを表示させる。表示部１０２で同一画面上にピークカット設定を時計マークの有無を表示させて、使用者が容易にピークカット設定の状況がわかることでリモコン操作時間の短縮を図ることができる。
【００５５】
次にＳ６０３に進むと、「ピークカット機能を設定します。」を表示部１０２に表示することで、使用者にこれからピークカット機能の設定を行うことの情報を使用者に伝え、使い勝手の向上を図る。次にＳ６０４に進むと、予め記憶部２０２に記憶されている設定１のピークカット時間帯の開始時刻と終了時刻の初期値を表示部１０２に表示させる。
【００５６】
ピークカット時間帯の開始時刻を選択スイッチ１０４で開始時刻を変更し、時刻の変更が完了した場合は決定スイッチ１０３を操作し記憶部２０２に変更した開始時刻を記憶させる。次にＳ６０５に進むと、予め記憶部２０２に記憶されている設定１のピークカット時間帯の終了時刻を選択スイッチ１０４で終了時刻を変更し、時刻の変更が完了した場合は決定スイッチ１０３を操作し記憶部２０２に変更した終了時刻を記憶させる。
【００５７】
次にＳ６０６に進むと、設定１のピークカット時間帯の開始時刻と終了時刻と時計マークを表示部１０２に表示させる。ピークカット時間帯の範囲は４時から深夜開始時刻までとした。例えば、ピークカット時間帯を６時から８時と設定した場合は、「６時〜８時」と表示部１０２に表示させ、使用者にピークカット時間帯を設定した内容と時計マークを表示部１０２に表示させることで設定内容が簡単に確認することができ、リモコン操作時間の短縮ができる。
【００５８】
次にＳ６０７に進むと、予め記憶部２０２に記憶されている設定２のピークカット時間帯の開始時刻と終了時刻の初期値を表示部１０２に表示させる。ピークカット時間帯の開始時刻を選択スイッチ１０４で開始時刻を変更し、時刻の変更が完了した場合は決定スイッチ１０３を操作し記憶部２０２に変更した開始時刻を記憶させる。
【００５９】
次にＳ６０８に進むと、予め記憶部２０２に記憶されている設定２のピークカット時間帯の終了時刻を選択スイッチ１０４で終了時刻を変更し、時刻の変更が完了した場合は決定スイッチ１０３を操作し記憶部２０２に変更した終了時刻を記憶させる。
【００６０】
次にＳ６０９に進むと、設定２のピークカット時間帯の開始時刻と終了時刻と時計マークを表示部１０２に表示させる。ピークカット時間帯の範囲は４時から深夜開始時刻までとした。
【００６１】
例えば、ピークカット時間帯を１３時から１７時と設定した場合は、「１３時〜１７時」と表示部１０２に表示させ、使用者にピークカット時間帯を設定した内容を表示部１０２に表示させることで設定内容が簡単に確認することができ、リモコン操作の使い勝手向上が図ることができる。
【００６２】
次にＳ６１０に進むと、リモコンのトップ画面に戻りピークカット表示を行い、使用者に現状設定を知らせることで使い勝手の向上を図ることができる。
【産業上の利用可能性】
【００６３】
以上のように、本発明にかかる給湯装置は、沸き上げ運転を備えた給湯装置において、使用性の高いリモコンを備えた給湯装置を提供用できるので、家庭用のみならず業務用の給湯装置にも適用できる。
【符号の説明】
【００６４】
１  貯湯槽
２  加熱手段
３  入水配管
４  出湯配管
６  給水配管
７  給水温度検出手段
８  給湯配管
９  給湯混合弁
１０  給湯温度検出手段
１１  給湯流量検出手段
１３  制御装置
１５  リモコン
１０２  表示部
１０３  決定スイッチ
１０４  選択スイッチ
１０５  メニュースイッチ
２０１  制御部
２０２  記憶部
２０３  入力部
【図１】
2019045107.tif 000003
【図２】
2019045107.tif 000004
【図３】
2019045107.tif 000005
【図４】
2019045107.tif 000006
【図５】
2019045107.tif 000007
【図６】
2019045107.tif 000008
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
貯湯槽と、
前記貯湯槽の湯水を沸き上げる加熱手段と、
前記加熱手段の沸き上げ動作を制御する制御装置と、
前記制御装置に前記加熱手段の動作の設定を行うとともに、前記設定された内容を表示する表示部を有するリモコンと、を備え、
前記沸き上げ動作を禁止する運転休止モードを有し、
前記運転休止モードは、複数の異なる時間帯にて、前記リモコンから設定できるとともに、
前記設定した複数の異なる時間帯を、前記リモコンの表示部の同一画面に表示する構成としたことを特徴とする給湯装置。
【請求項２】
前記時間帯は、直接、時刻にて設定できることを特徴とする請求項１に記載の給湯装置。
【請求項３】
前記運転休止モードの時間帯を設定したときには、使用者に前記設定が完了したことを、前記リモコンにて報知する構成としたことを特徴とした請求項１または２に記載の給湯装置。
【手続補正２】
【補正対象書類名】明細書
【補正対象項目名】全文
【補正方法】変更
【補正の内容】
【発明の詳細な説明】
【技術分野】
【０００１】
本発明は、沸き上げ運転を備えた給湯装置に関するものである。
【背景技術】
【０００２】
従来、この種の貯湯式給湯装置の沸上げ運転の制御は、早朝、昼間、夕方、夜間、深夜等の時間帯において、定められた貯湯槽温度検出手段の温度が、一定以下となった時に、沸上げを開始し、一定温度以上になると沸上げを完了するように制御されていて、リモコンにより、沸き上げ運転を禁止する時間帯を設定できる手段を有している（例えば、特許文献１参照）。
【先行技術文献】
【特許文献】
【０００３】
【特許文献１】特開２００８−３１５７５０９号公報
【発明の概要】
【発明が解決しようとする課題】
【０００４】
しかしながら、前記従来の構成においては、沸き上げ運転を禁止する時間帯を複数個設定できたり、その設定内容を確認できる構成については開示されていない。
【０００５】
本発明は、前記従来の課題を解決するもので、沸き上げ運転を備えた給湯装置において、使用性の高いリモコンを備えた給湯装置を提供することを目的とする。
【課題を解決するための手段】
【０００６】
前記従来の課題を解決するために、本発明の給湯機は、貯湯槽と、前記貯湯槽の湯水を沸き上げる加熱手段と、前記加熱手段の沸き上げ動作を制御する制御装置と、前記制御装置に前記加熱手段の動作の設定を行うとともに、前記設定された内容を表示する表示部を有するリモコンと、を備え、前記沸き上げ動作を禁止する運転休止モードを有し、前記運転休止モードは、複数の異なる時間帯にて、前記リモコンから設定できるとともに、前記設定した複数の異なる時間帯を、前記リモコンの表示部の同一画面に表示する構成としたことを特徴とするものである。
【０００７】
これにより、給湯装置において、運転休止モードを設定された場合、表示手段に複数個の運転休止モード時間帯を同一画面に表示することで、使用者の使い勝手の向上を図ることができる。
【発明の効果】
【０００８】
本発明によれば、沸き上げ運転を備えた給湯装置において、使用性の高いリモコンを備えた給湯装置を提供できる。
【図面の簡単な説明】
【０００９】
【図１】本発明の実施の形態１の給湯装置の構成図
【図２】同給湯装置のリモコンの外観図
【図３】（ａ）同給湯装置のリモコンのトップ画面図（ｂ）同給湯装置のリモコンのメニュー項目図（ｃ）同給湯装置のリモコンの沸き上げ設定項目図
【図４】同給湯装置のダブルピークカット設定画面のフローを示す図
【図５】同給湯装置のダブルピークカット設定変更画面のフローを示す図
【図６】同給湯装置の他のダブルピークカット設定画面のフローを示す図
【発明を実施するための形態】
【００１０】
第１の発明は、貯湯槽と、前記貯湯槽の湯水を沸き上げる加熱手段と、前記加熱手段の沸き上げ動作を制御する制御装置と、前記制御装置に前記加熱手段の動作の設定を行うとともに、前記設定された内容を表示する表示部を有するリモコンと、を備え、前記沸き上げ動作を禁止する運転休止モードを有し、前記運転休止モードは、複数の異なる時間帯にて、前記リモコンから設定できるとともに、前記設定した複数の異なる時間帯を、前記リモコンの表示部の同一画面に表示する構成としたことを特徴とする給湯装置である。
【００１１】
これにより、給湯装置において、運転休止モードを設定された場合、表示手段に複数個の運転休止モード時間帯を同一画面に表示することで、設定された内容を簡単に確認でき、使用者の使い勝手向上と操作時間の短縮を図ることができる。
【００１２】
第２の発明は、特に、第１の発明において、直接、時刻にて設定できることを特徴とすることにより、使用者が設定された内容を時刻から容易に把握することができる。
【００１３】
第３の発明は、特に、第１または第２の発明において、前記運転休止モードの時間帯を設定したときには、使用者に前記設定が完了したことを、前記リモコンにて報知する構成としたことを特徴とする給湯装置である。
【００１４】
これにより、設定完了マークを表示することで、使用者が設定した内容を容易に目視で把握することができる。
【００１５】
以下、本発明の実施の形態について、図面を参照しながら説明する。なお、この実施の形態によって本発明が限定されるものではない。
【００１６】
（実施の形態１）
図１に示すように、給湯装置は、貯湯槽１と、前記貯湯槽１の低温水を加熱する加熱手段２と、前記貯湯槽１下部と前記加熱手段２とを接続する入水配管３と、前記貯湯槽１上部と前記加熱手段２とを接続する出湯配管４と、前記入水配管３中に設置された循環ポンプと５、前記貯湯槽１に低温水を供給する給水配管６と、前記給水配管６に設置された給水温度検出手段７とを備えている。
【００１７】
また、前記貯湯槽１上部に設置され、前記貯湯槽１内の高温の湯を給湯する給湯配管８と、前記給水配管６の低温水と前記給湯配管８の高温の湯を混合する給湯混合弁９と、前記給湯配管８に設置された給湯温度検出手段１０と、前記給湯配管８に設置された給湯流量検出手段１１と、前記貯湯槽１に設置され、制御装置１３とを備えている。
【００１８】
そして、前記制御装置１３は残湯の温度等の情報を基づいて、沸上げを開始させる。また、リモコン１５より設定された情報により、前記制御装置１３を通じて前記給湯装置の運転モードを変更する。
【００１９】
さらに、電力会社が設定した深夜時間帯の安い料金を利用するや連日留守等の場合、任意の特定時間帯を指定して沸き上げを行わない運転休止モードを有し、前記リモコン１５から時間帯を設定し、追加沸き上げを禁止する信号を前記制御装置１３に送信し、前記加熱手段２等を制御する。
【００２０】
図２は、本実施の形態における給湯リモコン装置の外観図である。
【００２１】
図２において、給湯装置のリモコン１５は、給湯温度、ふろ温度、時刻、タンクの残湯湯量、沸き上げ状態等を表示する表示部１０２と、時刻設定、リモコン自体の設定を行う時に設定画面を呼び出すメニュースイッチ１０５、表示部１０２に表示される選択肢の中から特定の設定項目を選択する選択スイッチ１０４と、選択スイッチ１０４により選択された設定項目を確認する決定スイッチ１０３から構成されている。
【００２２】
リモコン１５には、表示部１０２の表示内容を制御する制御部２０１と、表示部１０２に表示を行うための情報や給湯装置の設定値や時刻等を記憶する記憶部２０２と、給湯装置の設定値を入力する入力部２０３を備えている。
【００２３】
なお、入力部は選択スイッチ１０４と決定スイッチ１０３を含むものとする。記憶部２０２に記憶されている給湯装置の設定値とは、沸き上げ設定、ふろ予約、音声案内、音量、日時設定などの設定内容になる。また、沸き上げ設定の中には沸き上げモード設定、休止設定、ダブルピークカット設定などがあり、さらに各設定項目の中には設定内容が表示される。
【００２４】
なお、ダブルピークカット設定とは、沸き上げ動作を禁止する運転休止モードを２つの異なる時間帯にて設定するものであるが、２つ以上の複数の異なる時間帯にて設定できるようにしても良い。
【００２５】
以上のように構成されたリモコン１５について、以下の動作、作用について説明する。
【００２６】
図３を用いて、運転休止モードの稼動時間帯を複数個設定するダブルピークカット設定の操作方法を説明する。
【００２７】
使用者はリモコン１５にあるメニュースイッチ１０５を操作して表示部１０２にトップ画面３０３からメニュー項目３０１を表示させる。次に使用者はメニュー項目３０１内で選択スイッチ１０４を操作してカーソルを沸き上げ設定に動かし、沸き上げ設定で決定スイッチ１０３を操作すると沸き上げ設定の中の沸き上げ設定項目３０２を表示させる。
【００２８】
次に、使用者は沸き上げ設定項目３０２でダブルピークカット設定に選択スイッチ１０４を操作してカーソルを動かし、決定スイッチ１０３を操作するとダブルピークカット設定の詳細な設定ができる。
【００２９】
図４を用いてダブルピークカット設定の詳細な設定方法を説明する。
【００３０】
Ｓ４０１では、沸き上げ設定項目内にあるダブルピークカット設定を選択スイッチ１０４、決定スイッチ１０３を操作して選択する。次にＳ４０２に進むと、ダブルピークカット設定の設定１および設定２の設定状態を表示部１０２で同一画面上に示す。
【００３１】
各設定で設定をしていない場合は各設定項目に「なし」と表示し、設定されている場合はピークカット開始時刻と終了時刻を表示する。例えば、設定１を設定する場合は、カーソルを選択スイッチ１０４で設定１に設定し、決定スイッチ１０３で設定１を決定する。
【００３２】
次にＳ４０３に進むと、「ピークカット機能を設定します。」を表示部１０２に表示することで、使用者にこれからピークカット機能の設定を行うことの情報を使用者に伝えることでリモコン操作を容易に理解させる。
【００３３】
次にＳ４０４に進むと、予め記憶部２０２に記憶されている設定１のピークカット時間帯の開始時刻と終了時刻の初期値を表示部１０２に表示させる。ピークカット時間帯の開始時刻を選択スイッチ１０４で開始時刻を変更し、時刻の変更が完了した場合は決定スイッチ１０３を操作し記憶部２０２に変更した開始時刻を記憶させる。
【００３４】
次にＳ４０５に進むと、予め記憶部２０２に記憶されている設定１のピークカット時間帯の終了時刻を選択スイッチ１０４で終了時刻を変更し、時刻の変更が完了した場合は決定スイッチ１０３を操作し記憶部２０２に変更した終了時刻を記憶させる。
【００３５】
次にＳ４０６に進むと、設定１のピークカット時間帯の開始時刻と終了時刻を表示部１０２に表示させる。ピークカット時間帯の範囲は４時から深夜開始時刻までとした。例えば、ピークカット時間帯を６時から８時と設定した場合は、「６時〜８時」と表示部１０２に表示させ、制御部２０１に設定した内容を更新する。
【００３６】
また、使用者にピークカット時間帯の設定内容を表示部１０２に表示させることで設定内容が簡単に確認することができ、リモコン操作の使い勝手向上と操作時間の短縮を図ることができる。
【００３７】
次にＳ４０７に進むと、予め記憶部２０２に記憶されている設定２のピークカット時間帯の開始時刻と終了時刻の初期値を表示部１０２に表示させる。ピークカット時間帯の開始時刻を選択スイッチ１０４で開始時刻を変更し、時刻の変更が完了した場合は決定スイッチ１０３を操作し記憶部２０２に変更した開始時刻を記憶させる。
【００３８】
次にＳ４０８に進むと、予め記憶部２０２に記憶されている設定２のピークカット時間帯の終了時刻を選択スイッチ１０４で終了時刻を変更し、時刻の変更が完了した場合は決定スイッチ１０３を操作し記憶部２０２に変更した終了時刻を記憶させる。
【００３９】
次にＳ４０９に進むと、設定２のピークカット時間帯の開始時刻と終了時刻を表示部１０２に表示させる。ピークカット時間帯の範囲は設定１の時間範囲と同じで４時から深夜開始時刻までとした。例えば、ピークカット時間帯を１３時から１７時と設定した場合は、「１３時〜１７時」と表示部１０２に表示させ、使用者にピークカット時間帯を設定した内容を表示部１０２の同一画面に表示させることで、設定内容が簡単に確認することができ、リモコン操作の使い勝手向上と操作時間の短縮を図ることができる。
【００４０】
次にＳ４１０に進むと、リモコンのトップ画面に戻りピークカット表示を行い、使用者に現状設定を知らせることで確認時間の短縮を図ることができる。
【００４１】
図５を用いてダブルピークカット設定内容を変更する場合の設定方法を説明する。Ｓ５０１では、沸き上げ設定項目内にあるダブルピークカット設定を選択スイッチ１０４、決定スイッチ１０３を操作して選択する。次にＳ５０２に進むと、ダブルピークカット設定の設定１および設定２の設定状態を表示部１０２で同一画面上に示す。
【００４２】
各設定は前回設定した内容を記憶部２０２に記憶させており、前回設定したピークカット時間帯の開始時刻と終了時刻を表示部１０２に表示させる。表示部１０２で同一画面上にピークカット設定内容を表示させることで、使用者が人目で現状の設定内容を把握することで確認時間の短縮を図ることができる。
【００４３】
次にＳ５０３に進むと、ダブルピークカット設定の変更および取消を表示部１０２で同一画面上に示し、使用者に変更または取消のいずれかの選択を選択スイッチ１０４でカーソルを動かし決定スイッチ１０３で設定する。
【００４４】
次にＳ５０４に進むと、前回の設定内容を記憶部２０２に記憶されている設定２のピークカット時間帯の開始時刻と終了時刻の設定値を表示部１０２に表示させる。ピークカット時間帯の開始時刻を選択スイッチ１０４で開始時刻を変更し、時刻の変更が完了した場合は決定スイッチ１０３を操作し記憶部２０２に変更した開始時刻を記憶させる。
【００４５】
次にＳ５０５に進むと、前回設定した値を記憶部２０２にて記憶されており表示部１０２でピークカット時間帯の開始時刻と終了時刻を表示させ、終了時刻を選択スイッチ１０４で終了時刻を変更し、時刻の変更が完了した場合は決定スイッチ１０３を操作し記憶部２０２に変更した終了時刻を記憶させる。
【００４６】
次にＳ５０６に進むと、設定変更した設定２のピークカット時間帯の開始時刻と終了時刻を表示部１０２に表示させる。例えば、ピークカット時間帯を１３時から１７時と設定した内容を１４時から１７時に変更した場合は、「１４時〜１７時」と表示部１０２に表示させ、制御部２０１に設定した内容を更新する。
【００４７】
ピークカット時間帯を設定変更した内容を、表示部１０２の同一画面に表示させることで、使用者が設定内容を簡単に確認することができる。
【００４８】
次にＳ５０７に進むと、リモコンのトップ画面に戻りピークカット表示を行い、使用者に現状の設定を知らせ人目で分かりやすくしている。
【００４９】
ダブルピークカットの設定が完了すると、リモコン１５は表示部１０２におけるマークや色による表示や、表示部１０２の近傍に設けた表示ランプ、あるいは、音声等の手段を用いて、設定が完了した旨を使用者に報知するようにするとよい。
【００５０】
図６を用いて、ダブルピークカット設定の詳細な設定方法及び設定完了通知の例について説明する。図６において、本実施の形態の給湯リモコン装置の構成図およびダブルピークカット設定への遷移については実施形態１と同様であるので、その説明は省略する。
【００５１】
図６を用いてダブルピークカットの設定方法を説明する。Ｓ６０１では、沸き上げ設定項目内にあるダブルピークカット設定を選択スイッチ１０４、決定スイッチ１０３を操作して選択する。
【００５２】
次にＳ６０２に進むと、ダブルピークカット設定の設定１および設定２の設定状態を表示部１０２で同一画面上に示す。
【００５３】
各設定は予め記憶部２０２に記憶されているピークカット時間帯の開始時刻と終了時刻の初期値を表示部１０２に表示させ、各設定の有無がわかるようにピークカット時間帯の横に時計マークを表示させる。
【００５４】
設定がなされていない場合は時計マークの表示なしで、設定されている場合は時計マークを表示させる。表示部１０２で同一画面上にピークカット設定を時計マークの有無を表示させて、使用者が容易にピークカット設定の状況がわかることでリモコン操作時間の短縮を図ることができる。
【００５５】
次にＳ６０３に進むと、「ピークカット機能を設定します。」を表示部１０２に表示することで、使用者にこれからピークカット機能の設定を行うことの情報を使用者に伝え、使い勝手の向上を図る。次にＳ６０４に進むと、予め記憶部２０２に記憶されている設定１のピークカット時間帯の開始時刻と終了時刻の初期値を表示部１０２に表示させる。
【００５６】
ピークカット時間帯の開始時刻を選択スイッチ１０４で開始時刻を変更し、時刻の変更が完了した場合は決定スイッチ１０３を操作し記憶部２０２に変更した開始時刻を記憶させる。次にＳ６０５に進むと、予め記憶部２０２に記憶されている設定１のピークカット時間帯の終了時刻を選択スイッチ１０４で終了時刻を変更し、時刻の変更が完了した場合は決定スイッチ１０３を操作し記憶部２０２に変更した終了時刻を記憶させる。
【００５７】
次にＳ６０６に進むと、設定１のピークカット時間帯の開始時刻と終了時刻と時計マークを表示部１０２に表示させる。ピークカット時間帯の範囲は４時から深夜開始時刻までとした。例えば、ピークカット時間帯を６時から８時と設定した場合は、「６時〜８時」と表示部１０２に表示させ、使用者にピークカット時間帯を設定した内容と時計マークを表示部１０２に表示させることで設定内容が簡単に確認することができ、リモコン操作時間の短縮ができる。
【００５８】
次にＳ６０７に進むと、予め記憶部２０２に記憶されている設定２のピークカット時間帯の開始時刻と終了時刻の初期値を表示部１０２に表示させる。ピークカット時間帯の開始時刻を選択スイッチ１０４で開始時刻を変更し、時刻の変更が完了した場合は決定スイッチ１０３を操作し記憶部２０２に変更した開始時刻を記憶させる。
【００５９】
次にＳ６０８に進むと、予め記憶部２０２に記憶されている設定２のピークカット時間帯の終了時刻を選択スイッチ１０４で終了時刻を変更し、時刻の変更が完了した場合は決定スイッチ１０３を操作し記憶部２０２に変更した終了時刻を記憶させる。
【００６０】
次にＳ６０９に進むと、設定２のピークカット時間帯の開始時刻と終了時刻と時計マークを表示部１０２に表示させる。ピークカット時間帯の範囲は４時から深夜開始時刻までとした。
【００６１】
例えば、ピークカット時間帯を１３時から１７時と設定した場合は、「１３時〜１７時」と表示部１０２に表示させ、使用者にピークカット時間帯を設定した内容を表示部１０２に表示させることで設定内容が簡単に確認することができ、リモコン操作の使い勝手向上が図ることができる。
【００６２】
次にＳ６１０に進むと、リモコンのトップ画面に戻りピークカット表示を行い、使用者に現状設定を知らせることで使い勝手の向上を図ることができる。
【産業上の利用可能性】
【００６３】
以上のように、本発明にかかる給湯装置は、沸き上げ運転を備えた給湯装置において、使用性の高いリモコンを備えた給湯装置を提供用できるので、家庭用のみならず業務用の給湯装置にも適用できる。
【符号の説明】
【００６４】
１  貯湯槽
２  加熱手段
３  入水配管
４  出湯配管
６  給水配管
７  給水温度検出手段
８  給湯配管
９  給湯混合弁
１０  給湯温度検出手段
１１  給湯流量検出手段
１３  制御装置
１５  リモコン
１０２  表示部
１０３  決定スイッチ
１０４  選択スイッチ
１０５  メニュースイッチ
２０１  制御部
２０２  記憶部
２０３  入力部